(57)【要約】【課題】ユーザによるカードリーダからのカードの引抜き時のスキミングを阻止することが可能なカードリーダを提供する。【解決手段】カード２に記録された磁気データの読取やカード２への磁気データの記録を行うカードリーダ１は、カード２が挿入および排出されるカード挿入排出口３が形成されるカード挿入排出部４と、カード挿入排出口３からカードリーダ１の外側へカード２の一部が突出してカードリーダ１からの引抜きが可能な引抜き可能状態にあるカード２の引抜きを検知するための引抜き検知機構１９と、カードリーダ１から引き抜かれるカード２に接触してカード２の引抜きを妨げるようにカード２に摩擦抵抗を与えるための抵抗付与機構とを備えている。抵抗付与機構は、引抜き検知機構１９によって引抜き可能状態にあるカード２の引抜きの開始が検知されると、カード２の引抜きを妨げるようにカード２に摩擦抵抗を与える。【選択図】図１
2014013537.tif 000002
【特許請求の範囲】
【請求項１】
カードに記録された磁気データの読取および前記カードへの前記磁気データの記録の少なくともいずれか一方を行うカードリーダにおいて、
前記カードが挿入および排出されるカード挿入排出口が形成されるカード挿入排出部と、前記カード挿入排出口から前記カードリーダの外側へ前記カードの一部が突出してまたは前記カード挿入排出部で前記カードの一部が露出して前記カードリーダからの引抜きが可能な引抜き可能状態にある前記カードの引抜きを検知するための引抜き検知機構と、前記カードリーダから引き抜かれる前記カードに接触して前記カードの引抜きを妨げるように前記カードに摩擦抵抗を与えるための抵抗付与機構とを備え、
前記抵抗付与機構は、前記引抜き検知機構によって前記引抜き可能状態にある前記カードの引抜きの開始が検知されると、前記カードの引抜きを妨げるように前記カードに摩擦抵抗を与えることを特徴とするカードリーダ。
【請求項２】
前記抵抗付与機構は、前記引抜き可能状態となるまで前記カードリーダ内から前記カードを排出する方向へ前記カードを搬送する搬送ローラを備え、
前記搬送ローラは、前記引抜き検知機構によって前記引抜き可能状態にある前記カードの引抜きの開始が検知されると、前記カードリーダ内に前記カードを取り込む方向へ回転することを特徴とする請求項１記載のカードリーダ。
【請求項３】
前記抵抗付与機構は、前記カードの引抜き方向に直交する方向における前記カードの端面および前記カードの表面の少なくともいずれか一方に接触する接触部材と、前記接触部材が前記カードに接触可能な接触位置と前記接触部材が前記カードに接触しない退避位置との間で前記接触部材を移動させる移動機構とを備え、
前記移動機構は、前記引抜き検知機構によって前記引抜き可能状態にある前記カードの引抜きの開始が検知されると、前記退避位置にある前記接触部材を前記接触位置へ移動させることを特徴とする請求項１記載のカードリーダ。
【請求項４】
前記引抜き検知機構は、前記カード挿入排出部に配置される磁気ヘッドであることを特徴とする請求項１から３のいずれかに記載のカードリーダ。
【請求項５】
カードが挿入および排出されるカード挿入排出口が形成されるカード挿入排出部を備え、前記カードに記録された磁気データの読取および前記カードへの前記磁気データの記録の少なくともいずれか一方を行うカードリーダの制御方法において、
前記カード挿入排出口から前記カードリーダの外側へ前記カードの一部が突出してまたは前記カード挿入排出部で前記カードの一部が露出して前記カードリーダからの引抜きが可能な引抜き可能状態にある前記カードの引抜きの開始が検知されると、前記カードリーダから引き抜かれる前記カードに接触して前記カードの引抜きを妨げるように前記カードに摩擦抵抗を与える抵抗付与機構によって前記カードに摩擦抵抗を与えることを特徴とするカードリーダの制御方法。
【請求項６】
前記引抜き可能状態にある前記カードの引抜きが開始されたか否かを検知する引抜き開始検知ステップと、前記引抜き開始検知ステップで前記カードの引抜きが開始されたことが検知されると前記抵抗付与機構が前記カードに摩擦抵抗を与え始める抵抗付与開始ステップと、前記抵抗付与開始ステップ後の所定時間内に前記カードリーダから前記カードが引き抜かれない場合に前記抵抗付与機構による前記カードへの摩擦抵抗の付与を停止するまたは前記抵抗付与機構による前記カードへの摩擦抵抗を弱める抵抗緩和ステップとを備え、
前記抵抗緩和ステップ後、前記引抜き開始検知ステップへ戻ることを特徴とする請求項５記載のカードリーダの制御方法。
【請求項７】
前記抵抗付与機構は、前記引抜き可能状態となるまで前記カードリーダ内から前記カードを排出する方向へ前記カードを搬送する搬送ローラを備え、
前記抵抗付与開始ステップでは、前記搬送ローラが、前記カードリーダ内に前記カードを取り込む方向へ回転し始めることを特徴とする請求項６記載のカードリーダの制御方法。
【請求項８】
前記抵抗付与開始ステップ後に前記カードリーダ内に前記カードが取り込まれたか否かを検知する取込み検知ステップと、前記取込み検知ステップで前記カードが取り込まれたことが検知されると前記カードの排出方向へ前記搬送ローラを回転させて前記引抜き可能状態になるまで前記カードの排出動作を行うカード排出ステップとを備え、
前記カード排出ステップ後、前記引抜き開始検知ステップへ戻ることを特徴とする請求項７記載のカードリーダの制御方法。
【発明の詳細な説明】
【技術分野】
【０００１】
本発明は、カードに記録された磁気データの読取やカードへの磁気データの記録を行うカードリーダに関する。また、本発明は、かかるカードリーダの制御方法に関する。
【背景技術】
【０００２】
従来、カードに記録された磁気データの読取やカードへの磁気データの記録を行うカードリーダが広く利用されており、カードリーダは、たとえば、金融機関等に設置される現金自動取引装置に搭載されている。カードリーダが利用される金融機関等の業界では、従来、犯罪者が現金自動取引装置等のカードの挿入部分に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）での磁気データの不正取得を阻止するための構成を備えるカードリーダが提案されている（たとえば、特許文献１参照）。
【０００３】
特許文献１に記載のカードリーダは、カードリーダ内にカードを取り込むとともにカードリーダ内からカードを排出するための取込みローラ対を備えている。このカードリーダでは、取込みローラ対によってカードリーダ内にカードを取り込む途中で、また、取込みローラ対によってカードリーダ内からカードを排出する途中で、取込みローラ対を停止させたり、取込みローラ対を逆転させたりしている。そのため、このカードリーダでは、カードの取込動作時およびカードの排出動作時にカードの搬送速度が大きく変動する。したがって、このカードリーダでは、カードの挿入部分にスキミング用磁気ヘッドが取り付けられても、カードの取込動作時およびカードの排出動作時に、スキミング用磁気ヘッドで有意な磁気データを取得することは困難である。すなわち、このカードリーダでは、カードの取込動作時およびカードの排出動作時におけるスキミングを阻止することが可能である。
【先行技術文献】
【特許文献】
【０００４】
【特許文献１】特許第３８０６２７１号公報
【発明の概要】
【発明が解決しようとする課題】
【０００５】
特許文献１に記載のカードリーダでは、取込みローラ対によるカードの排出動作が終わると、カードの後端側が取込みローラ対に挟まれた状態で、カードの先端側がカードスロット（カードの挿入排出口）からカードリーダの外側へ突出する。すなわち、このカードリーダでは、取込みローラ対によるカードの排出動作が終わると、カードリーダの外側へ突出するカードの先端側をユーザが掴んでカードリーダからカードを引抜くことが可能な状態になり、カードリーダからカードが引き抜かれるとカードリーダでのカードの処理が完了する。
【０００６】
上述のように、特許文献１に記載のカードリーダでは、カードの挿入部分にスキミング用磁気ヘッドが取り付けられたとしても、カードの取込動作時およびカードの排出動作時におけるスキミングを阻止することが可能である。しかしながら、このカードリーダでは、カードの挿入部分にスキミング用磁気ヘッドが取り付けられると、ユーザによるカードの引抜き時におけるスキミングを阻止することはできない。
【０００７】
そこで、本発明の課題は、ユーザによるカードリーダからのカードの引抜き時のスキミングを阻止することが可能なカードリーダを提供することにある。また、本発明の課題は、ユーザによるカードリーダからのカードの引抜き時のスキミングを阻止することが可能になるカードリーダの制御方法を提供することにある。
【課題を解決するための手段】
【０００８】
上記の課題を解決するため、本発明のカードリーダは、カードに記録された磁気データの読取およびカードへの磁気データの記録の少なくともいずれか一方を行うカードリーダにおいて、カードが挿入および排出されるカード挿入排出口が形成されるカード挿入排出部と、カード挿入排出口からカードリーダの外側へカードの一部が突出してまたはカード挿入排出部でカードの一部が露出してカードリーダからの引抜きが可能な引抜き可能状態にあるカードの引抜きを検知するための引抜き検知機構と、カードリーダから引き抜かれるカードに接触してカードの引抜きを妨げるようにカードに摩擦抵抗を与えるための抵抗付与機構とを備え、抵抗付与機構は、引抜き検知機構によって引抜き可能状態にあるカードの引抜きの開始が検知されると、カードの引抜きを妨げるようにカードに摩擦抵抗を与えることを特徴とする。
【０００９】
本発明のカードリーダは、引抜き可能状態にあるカードの引抜きを検知するための引抜き検知機構と、カードリーダから引き抜かれるカードに接触してカードの引抜きを妨げるようにカードに摩擦抵抗を与えるための抵抗付与機構とを備えている。また、本発明では、抵抗付与機構は、引抜き検知機構によって引抜き可能状態にあるカードの引抜きの開始が検知されると、カードの引抜きを妨げるようにカードに摩擦抵抗を与えている。そのため、本発明では、抵抗付与機構によって付与される摩擦抵抗によって、ユーザによるカードの引抜き時のカードの引抜き速度を不均一にすることが可能になる。たとえば、引抜き可能状態にあるカードにユーザが引抜きの力を加えた時からユーザによってカード挿入排出口からカードが引抜かれるまでの間のカードの引抜き速度を不均一にすることが可能になる。したがって、本発明では、カード挿入排出部の前方等にスキミング用磁気ヘッドが取り付けられても、ユーザによるカードの引抜き時に、スキミング用磁気ヘッドで有意な磁気データが取得されるのを阻止することが可能になり、その結果、ユーザによるカードリーダからのカードの引抜き時のスキミングを阻止することが可能になる。
【００１０】
本発明において、抵抗付与機構は、引抜き可能状態となるまでカードリーダ内からカードを排出する方向へカードを搬送する搬送ローラを備え、搬送ローラは、引抜き検知機構によって引抜き可能状態にあるカードの引抜きの開始が検知されると、カードリーダ内にカードを取り込む方向へ回転することが好ましい。このように構成すると、カードを搬送する搬送ローラを利用して、カードの引抜きを妨げるようにカードに摩擦抵抗を与えることができる。すなわち、このように構成すると、カードの引抜きを妨げるようにカードに摩擦抵抗を与えるための機構を別途設けなくても、カードリーダの制御方法を変更するだけで、カードの引抜きを妨げるようにカードに摩擦抵抗を与えることができる。したがって、カードリーダの構成を簡素化することが可能になる。
【００１１】
本発明において、抵抗付与機構は、カードの引抜き方向に直交する方向におけるカードの端面およびカードの表面の少なくともいずれか一方に接触する接触部材と、接触部材がカードに接触可能な接触位置と接触部材がカードに接触しない退避位置との間で接触部材を移動させる移動機構とを備え、移動機構は、引抜き検知機構によって引抜き可能状態にあるカードの引抜きの開始が検知されると、退避位置にある接触部材を接触位置へ移動させても良い。この場合には、たとえば、ユーザが手動でカードを移動させながら磁気データの読取や記録を行う手動式のカードリーダであっても（すなわち、カードリーダがカードを移動させる機構を有さない場合であっても）、接触部材をカードに接触させて、カードの引抜きを妨げるようにカードに摩擦抵抗を与えることができる。すなわち、接触部材を接触位置へ移動させる簡易な構成によって、ユーザによるカード引抜き時のカードの引抜き速度を不均一にすることが可能になり、その結果、スキミングを阻止することが可能になる。
【００１２】
本発明において、引抜き検知機構は、カード挿入排出部に配置される磁気ヘッドであることが好ましい。このように構成すると、カードの引抜きを検知するための引抜き検知機構である磁気ヘッドを用いて、カード挿入排出口から挿入されるカードに磁気データが記録されているか否かを検知することが可能になる。
【００１３】
また、上記の課題を解決するため、本発明のカードリーダの制御方法は、カードが挿入および排出されるカード挿入排出口が形成されるカード挿入排出部を備え、カードに記録された磁気データの読取およびカードへの磁気データの記録の少なくともいずれか一方を行うカードリーダの制御方法において、カード挿入排出口からカードリーダの外側へカードの一部が突出してまたはカード挿入排出部でカードの一部が露出してカードリーダからの引抜きが可能な引抜き可能状態にあるカードの引抜きの開始が検知されると、カードリーダから引き抜かれるカードに接触してカードの引抜きを妨げるようにカードに摩擦抵抗を与える抵抗付与機構によってカードに摩擦抵抗を与えることを特徴とする。
【００１４】
本発明のカードリーダの制御方法では、カードリーダからの引抜きが可能な引抜き可能状態にあるカードの引抜きの開始が検知されると、カードリーダから引き抜かれるカードに接触してカードの引抜きを妨げるようにカードに摩擦抵抗を与える抵抗付与機構によってカードに摩擦抵抗を与えている。そのため、本発明では、抵抗付与機構によって付与される摩擦抵抗によって、ユーザによるカードの引抜き時のカードの引抜き速度を不均一にすることが可能になる。したがって、本発明では、カード挿入排出部の前方等にスキミング用磁気ヘッドが取り付けられても、ユーザによるカードの引抜き時に、スキミング用磁気ヘッドで有意な磁気データが取得されるのを阻止することが可能になり、その結果、ユーザによるカードリーダからのカードの引抜き時のスキミングを阻止することが可能になる。
【００１５】
本発明のカードリーダの制御方法は、引抜き可能状態にあるカードの引抜きが開始されたか否かを検知する引抜き開始検知ステップと、引抜き開始検知ステップでカードの引抜きが開始されたことが検知されると抵抗付与機構がカードに摩擦抵抗を与え始める抵抗付与開始ステップと、抵抗付与開始ステップ後の所定時間内にカードリーダからカードが引き抜かれない場合に抵抗付与機構によるカードへの摩擦抵抗の付与を停止するまたは抵抗付与機構によるカードへの摩擦抵抗を弱める抵抗緩和ステップとを備え、抵抗緩和ステップ後、引抜き開始検知ステップへ戻ることが好ましい。このように構成すると、抵抗付与開始ステップ後に所定時間が経過すると、ユーザがカードを引き抜く際に必要とされるカードの引抜き力が一時的に弱まる。したがって、ユーザはカードを引抜きやすくなる。また、カードを引き抜く際に必要とされるカードの引抜き力が一時的に弱まるため、ユーザが一定の力でカードを引き抜いているのであれば、ユーザによるカードの引抜き時のカードの引抜き速度を不均一にしやすくなる。
【００１６】
本発明において、抵抗付与機構は、引抜き可能状態となるまでカードリーダ内からカードを排出する方向へカードを搬送する搬送ローラを備え、抵抗付与開始ステップでは、搬送ローラが、カードリーダ内にカードを取り込む方向へ回転し始めることが好ましい。このように構成すると、カードの引抜きを妨げるようにカードに摩擦抵抗を与えるための機構を別途設けなくても、カードリーダの制御方法を変更するだけで、カードを搬送する搬送ローラを利用して、カードの引抜きを妨げるようにカードに摩擦抵抗を与えることができる。したがって、カードリーダの構成を簡素化することが可能になる。
【００１７】
本発明のカードリーダの制御方法は、抵抗付与開始ステップ後にカードリーダ内にカードが取り込まれたか否かを検知する取込み検知ステップと、取込み検知ステップでカードが取り込まれたことが検知されるとカードの排出方向へ搬送ローラを回転させて引抜き可能状態になるまでカードの排出動作を行うカード排出ステップとを備え、カード排出ステップ後、引抜き開始検知ステップへ戻ることが好ましい。このように構成すると、引き抜かれるカードに摩擦抵抗を与えるために、カードリーダ内にカードを取り込む方向へ搬送ローラを回転させても、カードを引き抜く際のカードの掴み代を確保することが可能になる。また、このように構成すると、本来、ユーザによってカードリーダから引き抜かれるべきカードがカードリーダの内部に取り込まれてしまうのを防止することが可能になる。
【発明の効果】
【００１８】
以上のように、本発明のカードリーダでは、ユーザによるカードリーダからのカードの引抜き時のスキミングを阻止することが可能になる。また、本発明のカードリーダの制御方法でカードリーダが制御されると、ユーザによるカードリーダからのカードの引抜き時のスキミングを阻止することが可能になる。
【図面の簡単な説明】
【００１９】
【図１】本発明の実施の形態にかかるカードリーダの概略構成を説明するための側面図であり、（Ａ）はユーザによるカードリーダからのカードの引抜きが可能な引抜き可能状態を示す図、（Ｂ）はカードセンサによってカードが検知されている状態を示す図である。
【図２】図１に示すカードリーダにおいて、引抜き可能状態にあるカードをユーザが引抜く際のカードリーダの動作の一例を説明するためのフローチャートである。
【発明を実施するための形態】
【００２０】
以下、図面を参照しながら、本発明の実施の形態を説明する。
【００２１】
（カードリーダの構成）
図１は、本発明の実施の形態にかかるカードリーダ１の概略構成を説明するための側面図であり、（Ａ）はユーザによるカードリーダ１からのカード２の引抜きが可能な引抜き可能状態を示す図、（Ｂ）はカードセンサ１５によってカード２が検知されている状態を示す図である。
【００２２】
本形態のカードリーダ１は、カード２に記録された磁気データの読取および／またはカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、図１に示すように、カード２が挿入されるとともに排出されるカード挿入排出口３が形成されるカード挿入排出部４と、磁気データの読取および／または磁気データの記録を行う磁気ヘッド（図示省略）が内部に配置される本体部５とを備えている。カード挿入排出部４および本体部５の内部には、カード２が搬送されるカード搬送路が形成されている。
【００２３】
本形態では、図１に示すＸ方向にカード２が搬送される。すなわち、Ｘ方向は、カード２の搬送方向である。また、本形態では、図１に示すＸ１方向にカード２が挿入され、Ｘ２方向にカード２が排出される。すなわち、Ｘ１方向は、カード２の挿入方向であり、Ｘ２方向は、カード２の排出方向である。また、Ｘ２方向は、カードリーダ１からのカード２の引抜き方向でもある。なお、以下の説明では、Ｘ１方向側を「奥（後ろ）」側、Ｘ２方向側を「前」側とする。
【００２４】
カード２は、たとえば、厚さが０．７〜０．８ｍｍ程度の矩形状の塩化ビニール製のカードである。このカード２の裏面には、磁気データが記録される磁気ストライプが形成されている。なお、カード２の内部に、ＩＣチップや通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２５】
本体部５の内部には、上述の磁気ヘッドに加え、カード２を搬送するための駆動ローラ８〜１０およびパッドローラ１１〜１３が配置されている。磁気ヘッドは、そのギャップ部がカード搬送路に下側から臨むように配置されている。駆動ローラ８〜１０は、カード搬送路に上側から臨むように配置されている。駆動ローラ８〜１０は、前後方向において所定のピッチで配置されている。また、駆動ローラ８〜１０は、本体部５の前側から奥側に向かってこの順番で配置されている。パッドローラ１１〜１３のそれぞれは、駆動ローラ８〜１０のそれぞれに下側から対向しており、駆動ローラ８〜１０のそれぞれに向かって付勢されている。
【００２６】
駆動ローラ８〜１０には、ベルトやプーリ等の動力伝達機構を介してモータ１４が連結されている。駆動ローラ８〜１０は、モータ１４の動力によって、時計方向および反時計方向へ回転可能となっている。駆動ローラ８およびパッドローラ１１のすぐ奥側には、カード２を検知するためのカードセンサ１５が配置されている。カードセンサ１５は、たとえば、カード搬送路を挟むように配置される発光素子と受光素子とを備える光学式のセンサであり、発光素子から受光素子へ向かう光がカード２によって遮られることで、カード２が検知される。
【００２７】
カード挿入排出部４は、本体部５の前面に取り付けられている。カード挿入排出部４の内部には、カード挿入排出部４にカード２が挿入されたことを検知するための挿入検知機構１８と、カード挿入排出口３から挿入されるカード２に磁気データが記録されていることを検知するための磁気ヘッド（プリヘッド）１９と、カード搬送路を閉鎖するシャッタ部材２０とが配置されている。プリヘッド１９は、そのギャップ部がカード搬送路に下側から臨むように配置されている。
【００２８】
挿入検知機構１８は、カード２の搬送方向に直交するカード２の幅方向におけるカード２の端部を検知することで、カード挿入排出部４にカード２が挿入されたことを検知する幅検知機構であり、たとえば、カード２の幅方向の端面に接触して変位するレバー部材と、レバー部材の変位を検知する幅検知センサとを備えている。幅検知センサは、たとえば、発光素子と受光素子とを備える光学式のセンサである。レバー部材は、カード２の幅方向の端面が接触するカード接触部と、幅検知センサの発光素子と受光素子との間を遮る遮光部とを備えている。
【００２９】
カード２がカード挿入排出部４に挿入されていないときには、レバー部材の遮光部が幅検知センサの発光素子と受光素子との間を遮っている。一方、所定の規格に適合するカード幅のカード２がカード挿入排出部４に挿入されると、カード接触部にカード２の幅方向の端面が接触し、幅検知センサの発光素子と受光素子との間から遮光部が外れて、カード挿入排出部４にカード２が挿入されことが検知される。なお、挿入検知機構１８は、カード搬送路を挟むように配置される発光素子と受光素子とを備える光学式のセンサであっても良いし、カード２に接触するレバー部材と接点スイッチとを備えるマイクロスイッチであっても良い。
【００３０】
シャッタ部材２０は、挿入検知機構１８およびプリヘッド１９よりも奥側に配置されている。シャッタ部材２０には、ソレノイド等の駆動源を有するシャッタ駆動機構（図示省略）が連結されており、シャッタ部材２０は、駆動源の動力で、カード搬送路を塞ぐ閉位置と、カード搬送路を開放する開位置とに移動可能となっている。本形態では、カード挿入排出部４にカード２が挿入される前の待機状態では、シャッタ部材２０は、閉位置にあってカード搬送路を塞いでいる。一方、カード挿入排出口３からカード２が挿入されて、挿入検知機構１８でカード２が挿入されたことが検知されるとともに、プリヘッド１９でカード２に磁気データが記録されていることが検知されると、シャッタ部材２０は、閉位置から開位置へ移動してカード搬送路を開放する。
【００３１】
モータ１４、カードセンサ１５、挿入検知機構１８およびプリヘッド１９は、カードリーダ１を制御する制御部２２に電気的に接続されている。なお、シャッタ部材２０の駆動源も制御部２２に接続されている。
【００３２】
本形態では、カードリーダ１の内部に取り込まれたカード２の磁気データの読取やカード２への磁気データの記録が終了すると、駆動ローラ８〜１０およびパッドローラ１１〜１３によってカード２が前側へ搬送されて排出される。駆動ローラ８〜１０およびパッドローラ１１〜１３によるカード２の排出動作は、前側に搬送されるカード２の奥端がカードセンサ１５を抜けると完了する。
【００３３】
カード２の排出動作が完了したときには、図１（Ａ）に示すように、カード２の奥端側は、駆動ローラ８とパッドローラ１１との間に挟まれている。また、このときには、カード２の前端側は、カード挿入排出口３からカードリーダ１の外側へ（具体的には、前側）へ突出しており、ユーザは、カード２の前端側部分を掴んでカードリーダ１からカード２を引き抜くことが可能となっている。すなわち、カード２の排出動作が完了すると、ユーザによるカードリーダ１からのカード２の引抜きが可能な引抜き可能状態となる。なお、引抜き可能状態では、プリヘッド１９は、カード２の磁気ストライプに当接しており、また、挿入検知機構１８は、カード２を検知している。
【００３４】
以下、引抜き可能状態にあるカード２をユーザが引抜く際のカードリーダ１の動作の一例を説明する。
【００３５】
（カード引抜き時のカードリーダの動作）
図２は、図１に示すカードリーダ１において、引抜き可能状態にあるカード２をユーザが引抜く際のカードリーダ１の動作の一例を説明するためのフローチャートである。
【００３６】
駆動ローラ８〜１０およびパッドローラ１１〜１３によるカード２の排出動作が完了して、引抜き可能状態になると、制御部２２は、まず、ユーザによるカード２の引抜きが開始されたか否かを判断する（ステップＳ１）。上述のように、引抜き可能状態では、プリヘッド１９がカード２の磁気ストライプに当接しているため、ステップＳ１では、プリヘッド１９によって磁気データが検出されたか否かによって、制御部２２は、ユーザによるカード２の引抜きが開始されたか否かを判断する。すなわち、プリヘッド１９によってカード２の引抜きが開始されたか否かを検知する。
【００３７】
プリヘッド１９によって、引抜き可能状態にあるカード２の引抜きが開始されたことが検知されると（ステップＳ１において、“Ｙｅｓ”になると）、制御部２２は、カード２の引抜きを妨げるようにカード２に摩擦抵抗を与える抵抗動作を開始する（ステップＳ２）。具体的には、ステップＳ２では、カード２の奥端側に当接する駆動ローラ８が、カードリーダ１内にカード２を取り込む方向へ回転するように（すなわち、図１の時計回りの方向（時計方向）へ回転するように）、制御部２２がモータ１４を駆動して、カード２の引抜きを妨げるようにカード２に摩擦抵抗を与え始める。
【００３８】
その後、制御部２２は、カードリーダ１内にカード２が取り込まれたか否かを判断する（ステップＳ３）。具体的には、ステップＳ３において、制御部２２は、カードセンサ１５によってカード２の奥端側が検出されたか否かを判断する。ユーザによるカード２の引抜き時に、時計方向に回転する駆動ローラ８によって、カードセンサ１５でカード２の奥端側が検出されるまでカード２が奥側に取り込まれると、図１（Ｂ）に示すように、カード２の前端側の掴み代がなくなってユーザがカード２を引き抜きにくくなる。
【００３９】
そのため、ステップＳ３において、カードセンサ１５でカード２の奥端側が検出されると（ステップＳ３において“Ｙｅｓ”になると）、制御部２２は、カードリーダ１内からカード２を排出する方向へ駆動ローラ８が回転するように（すなわち、図１の反時計回りの方向（反時計方向）へ回転するように）モータ１４を駆動して、カード２の排出処理を行う（ステップＳ４）。具体的には、ステップＳ４では、反時計方向に回転する駆動ローラ８によって前側に搬送されるカード２の奥端がカードセンサ１５を抜けるまで（すなわち、引抜き可能状態になるまで）、カード２を排出する。ステップＳ４において、カード２の排出処理が終わると、ステップＳ１へ戻って、再び、カード２の引抜きが開始されたか否かを判断する。
【００４０】
一方、ステップＳ３において、カードセンサ１５でカード２の奥端側が検出されない場合（ステップＳ３において“Ｎｏ”の場合）には、制御部２２は、抵抗動作を開始してから所定時間が経過したか否かを判断する（ステップＳ５）。ステップＳ５で、所定時間が経過していない場合（ステップＳ５において“Ｎｏ”の場合）には、制御部２２は、挿入検知機構１８がカード２を検知しなくなったか否かを判断する（ステップＳ６）。すなわち、制御部２２は、引き抜かれるカード２の奥端側が挿入検知機構１８を抜けて、カード２の引抜きが完了したか否かを判断する。
【００４１】
ステップＳ６において、挿入検知機構１８がカード２を検知しなくなった場合（ステップＳ６において“Ｙｅｓ”場合）には、制御部２２は、モータ１４を停止する（ステップＳ７）。ステップＳ７で、モータ１４が停止すると、カード２の引抜きが完了する。一方、ステップＳ６において、挿入検知機構１８がカード２を検知している場合（ステップＳ６において“Ｎｏ”の場合）には、ステップＳ３に戻って、制御部２２は、抵抗動作を継続する。
【００４２】
また、ステップＳ５において、所定時間が経過している場合（ステップＳ５において“Ｙｅｓ”の場合）には、カード２の引抜きに必要な引抜き力が抵抗動作の影響で大きくなって、その結果、所定時間かけてもユーザがカード２を引き抜くことができず、カード２の引抜きをあきらめてしまうおそれがあるため、制御部２２は、モータ１４を停止する（ステップＳ８）。モータ１４が停止すると、駆動ローラ８が停止するため、カード２の引抜きを妨げるように駆動ローラ８からカード２へ付与される摩擦抵抗が弱まる。また、ステップＳ８でモータ１４が停止すると、ステップＳ１に戻って、再び、カード２の引抜きが開始されたか否かを判断する。なお、ステップＳ５における所定時間として、設計的には、ステップＳ３において、カードセンサ１５によってカード２の奥端側が検出されない時間が設定されており、この所定時間は、たとえば、０．３５秒である。
【００４３】
本形態のプリヘッド１９は、引抜き可能状態にあるカード２の引抜きを検知するための引抜き検知機構である。また、本形態の駆動ローラ８は、引抜き可能状態となるまでカードリーダ１内からカード２を排出する方向へカード２を搬送する搬送ローラである。また、本形態では、駆動ローラ８、モータ１４および駆動ローラ８とモータ１４とを連結する動力伝達機構等によって、カードリーダ１から引き抜かれるカード２に接触してカード２の引抜きを妨げるようにカード２に摩擦抵抗を与えるための抵抗付与機構が構成されている。
【００４４】
また、本形態では、ステップＳ１は、引抜き可能状態にあるカード２の引抜きが開始されたか否かを検知する引抜き開始検知ステップである。ステップＳ２は、引抜き開始検知ステップであるステップＳ１でカード２の引抜きが開始されたことが検知されると抵抗付与機構がカード２に摩擦抵抗を与え始める抵抗付与開始ステップであり、ステップＳ２では、搬送ローラである駆動ローラ８が、カードリーダ１内にカード２を取り込む方向へ回転し始める。ステップＳ３は、抵抗付与開始ステップであるステップＳ２後にカードリーダ１内にカード２が取り込まれたか否かを検知する取込み検知ステップである。ステップＳ４は、取込み検知ステップであるステップＳ３で、カード２が取り込まれたことが検知されるとカード２の排出方向へ駆動ローラ８を回転させて引抜き可能状態になるまでカード２の排出動作を行うカード排出ステップである。ステップＳ８は、抵抗付与開始ステップであるステップＳ２後の所定時間内にカードリーダ１からカード２が引き抜かれない場合に駆動ローラ８によるカード２への摩擦抵抗を弱める抵抗緩和ステップである。
【００４５】
（本形態の主な効果）
以上説明したように、本形態では、プリヘッド１９によって引抜き可能状態にあるカード２の引抜きの開始が検知されると、駆動ローラ８が時計方向へ回転して、カード２の引抜きを妨げるようにカード２に摩擦抵抗を与えている。そのため、本形態では、駆動ローラ８によって付与される摩擦抵抗によって、ユーザによるカード２の引抜き時のカード２の引抜き速度を不均一にすることが可能になる。したがって、本形態では、カード挿入排出部４の前方等にスキミング用磁気ヘッドが取り付けられても、ユーザによるカード２の引抜き時に、スキミング用磁気ヘッドで有意な磁気データが取得されるのを阻止することが可能になり、その結果、カード２の引抜き時のスキミングを阻止することが可能になる。
【００４６】
本形態では、駆動ローラ８を時計方向に回転させて、カード２の引抜きを妨げるようにカード２に摩擦抵抗を与えている。そのため、カード２を搬送するための駆動ローラ８を利用して、カード２の引抜きを妨げるようにカード２に摩擦抵抗を与えることができる。すなわち、カード２の引抜きを妨げるようにカード２に摩擦抵抗を与えるための機構を別途設けなくても、カードリーダ１の制御方法を変更するだけで、カード２の引抜きを妨げるようにカード２に摩擦抵抗を与えることができる。したがって、本形態では、カードリーダ１の構成を簡素化することが可能になる。また、本形態では、カード挿入排出口３から挿入されるカード２に磁気データが記録されていることを検知するためのプリヘッド１９によってカード２の引抜きが開始されたか否かを検知しているため、カード２の引抜きが開始されたか否かを検知するための機構を別途設ける場合と比較して、カードリーダ１の構成を簡素化することが可能になる。
【００４７】
本形態では、カード２の引抜きを妨げるようにカード２に摩擦抵抗を与え始めてから所定時間内にカードリーダ１からカード２が引き抜かれないと、ステップＳ８で、駆動ローラ８によるカード２への摩擦抵抗を弱めている。そのため、本形態では、カード２に摩擦抵抗を与え始めてから所定時間が経過すると、ユーザがカード２を引き抜く際に必要とされるカード２の引抜き力が一時的に弱まる。したがって、本形態では、ユーザはカード２を引き抜きやすくなる。また、カード２を引き抜く際に必要とされるカード２の引抜き力が一時的に弱まるため、ユーザが一定の力でカード２を引き抜いているのであれば、ユーザによるカード２の引抜き時のカード２の引抜き速度を不均一にしやすくなる。
【００４８】
本形態では、ステップＳ３において、カードセンサ１５でカード２の奥端側が検出されると、ステップＳ４において、カードリーダ１内からカード２を排出する方向へ駆動ローラ８を回転させて、カード２の排出処理を行っている。したがって、本形態では、引き抜かれるカード２に摩擦抵抗を与えるために駆動ローラ８を時計方向へ回転させても、カード２を引き抜く際のカード２の前端側の掴み代を確保することが可能になる。また、本来、ユーザによってカードリーダ１から引き抜かれるべきカード２がカードリーダ１の内部に取り込まれてしまうのを防止することが可能になる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態では、駆動ローラ８が、カードリーダ１から引き抜かれるカード２の引抜きを妨げるようにカード２に摩擦抵抗を与えている。この他にもたとえば、カード２の幅方向におけるカード２の端面やカード２の表面（すなわち、おもて面や裏面）に接触する接触部材と、この接触部材がカード２に接触可能な接触位置とカード２に接触しない退避位置との間で接触部材を移動させる移動機構とを備える抵抗付与機構が、カードリーダ１から引き抜かれるカード２の引抜きを妨げるようにカード２に摩擦抵抗を与えても良い。この場合には、移動機構は、プリヘッド１９によって引抜き可能状態にあるカード２の引抜きの開始が検知されると、退避位置にある接触部材を接触位置へ移動させる。
【００５１】
また、この場合には、上述のステップＳ８において、接触部材を退避位置へ移動させて抵抗付与機構によるカード２への摩擦抵抗の付与を停止しても良いし、接触部材とカード２との摩擦抵抗が小さくなるように、接触部材を移動させて抵抗付与機構によるカード２への摩擦抵抗の付与を弱めても良い。
【００５２】
上述した形態では、プリヘッド１９を用いて引抜き可能状態にあるカード２の引抜きが開始されたか否かを検知している。この他にもたとえば、プリヘッド１９以外のセンサを用いて引抜き可能状態にあるカード２の引抜きが開始されたか否かを検知しても良い。
【００５３】
上述した形態では、ステップＳ８でモータ１４が停止した後に、ステップＳ１に戻っている。この他にもたとえば、ステップＳ８の後に、ステップＳ８でのモータ１４の停止動作が所定回数を超えて行われたか否かを判断するステップを設け、ステップＳ８での停止動作が所定回数を超えて行われていない場合には、ステップＳ１へ戻り、ステップＳ８での停止動作が所定回数を超えて行われた場合には、そのまま、モータ１４の停止状態を維持して、ユーザによるカード２の引抜きを待っても良い。この場合であっても、所定回数行われた抵抗動作によって、スキミング用磁気ヘッドで有意な磁気データが取得されることを阻止することが可能になる。
【００５４】
上述した形態では、カードリーダ１は、本体部５の内部に駆動ローラ８〜１０およびパッドローラ１１〜１３を備えているが、カード挿入排出部４の内部には駆動ローラおよびパッドローラを備えていない。この他にもたとえば、カードリーダ１は、カード挿入排出部４の内部に駆動ローラおよびパッドローラを備えていても良い。この場合には、カード挿入排出部４の内部に配置される駆動ローラによって、カードリーダ１から引き抜かれるカード２の引抜きを妨げるようにカード２に摩擦抵抗を付与することが可能になる。したがって、カード２の搬送方向におけるより広い範囲で、カード２に摩擦抵抗を付与することが可能になる。
【００５５】
上述した形態では、カードリーダ１は、駆動ローラ８〜１０およびパッドローラ１１〜１３を備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取や記録を行ういわゆるディップ式のカードリーダであっても良い。この場合には、たとえば、このカードリーダのカード挿入排出部に、ユーザがカード２の前端側を掴むための切欠き部が形成されており、この切欠き部においてカード２の前端側の一部が露出することで、カードリーダ１からのカード２の引抜きが可能な引抜き可能状態になる。
【符号の説明】
【００５６】
１  カードリーダ
２  カード
３  カード挿入排出口
４  カード挿入排出部
８  駆動ローラ（搬送ローラ、抵抗付与機構の一部）
１４  モータ（抵抗付与機構の一部）
１９  プリヘッド（磁気ヘッド、引抜き検知機構）
Ｓ１  引抜き開始検知ステップ
Ｓ２  抵抗付与開始ステップ
Ｓ３  取込み検知ステップ
Ｓ４  カード排出ステップ
Ｓ８  抵抗緩和ステップ
Ｘ２  カードの引抜き方向
【図１】
2014013537.tif 000003
【図２】
2014013537.tif 000004